(57)【要約】【課題】遊技球を利用して可動体をより大きく動作させることができ、また多様な方向に動作させることが可能な遊技機を提供する。【解決手段】装飾部材１４には、遊技領域を流下するパチンコ球Ｓを受入れる球入口とステージ部へパチンコ球Ｓを通出する球出口とを連通する誘導路３６が設けられる。誘導路３６の前側に、支持軸４２に沿って上下方向に移動可能に突出部４６が配設され、該突出部４６は支持軸４２に配設された圧縮コイルバネ４４に乗っている。突出部４６の後突部４６ｂが誘導路３６に突出し、該後突部４６ｂに対し、誘導路３６を流下するパチンコ球Ｓが上方から衝突するよう構成される。突出部４６に、可動体５０が一体的に移動するよう配設される。従って、突出部４６の後突部４６ｂに上方からパチンコ球Ｓが衝突したときには、可動体５０は上下方向に移動する。【選択図】図３
2006346215.tif 000002
【特許請求の範囲】
【請求項１】
遊技盤に画成した遊技領域に配設された装飾部材に、遊技領域を流下する遊技球を受入れる球入口と、該球入口に通入した遊技球を誘導する誘導路と、この誘導路から装飾部材内に遊技球を通出する球出口とを形成した遊技機において、
前記装飾部材に対して移動可能に配設され、所要の意匠が施された可動体と、
前記可動体を、その移動可能方向の一方に向けて付勢可能な弾性体と、
前記可動体に配設されて前記誘導路内に突出し、該誘導路内を流下する遊技球が衝突したときに可動体を移動可能方向の他方に向けて移動させる突出部とを備え、
前記遊技球が突出部から離間したときには、前記可動体が前記弾性体の付勢力によって移動可能方向の一方に向けて移動されるよう構成した
ことを特徴とする遊技機。
【請求項２】
前記装飾部材に、前記可動体の移動可能方向に沿って支持軸が設けられ、前記可動体は、前記突出部に設けた軸孔に支持軸が挿通されるようにして配設されて、該可動体が支持軸に沿って移動するよう構成されると共に、前記弾性体は、その中心部に形成した空孔に支持軸が挿通されるようにして配設されている請求項１記載の遊技機。
【請求項３】
前記支持軸は上下方向に沿って配設されると共に、前記突出部は前記支持軸が挿通された前記弾性体の上側に位置し、前記誘導路は、前記球入口から通入した遊技球を前記突出部に対して上方から衝突するよう形成され、
前記誘導路内を流下する遊技球が前記突出部に上方から衝突することで、該突出部および可動体が遊技球の重みにより下方向に移動することに伴って弾性体が縮み、該弾性体が伸びることによって突出部および可動体が上方向に移動するよう構成した請求項２記載の遊技機。
【請求項４】
前記装飾部材における誘導路の前側に位置する前面板に、前記可動体の移動可能方向に沿って案内孔が所定長さで延在するよう形成され、前面板の前側に配置した可動体から後方に突出する前記突出部を案内孔に挿通することで可動体の回転規制を行なうよう構成した請求項１〜３の何れかに記載の遊技機。
【請求項５】
前記可動体の意匠は、遊技機のモチーフと関連している請求項１〜４の何れかに記載の遊技機。
【発明の詳細な説明】
【技術分野】
【０００１】
本発明は、遊技盤に画成した遊技領域を流下する遊技球を、一旦受入れた後に再び遊技領域に排出し得る装飾部材を備えた遊技機に関するものである。
【背景技術】
【０００２】
パチンコ機やアレンジボール機等の遊技機では、機内にセットされる遊技盤の盤面に画成した遊技領域の略中央位置に、複数の図柄を変動表示して図柄変動ゲームを行なう液晶式やドラム式等の図柄表示装置を後方から臨ませた枠状の装飾部材(所謂センター役物)が配設されている。この装飾部材の下縁部には、遊技球(パチンコ球)が左右方向に転動可能な所謂ステージが設けられ、遊技領域を流下するパチンコ球を、装飾部材に設けられた誘導路(所謂ワープルート)を介して装飾部材内に一旦受入れさせ、該パチンコ球をステージ上で転動させた後に遊技領域の所定位置(例えば始動入賞具等の上方)へ排出させることで、パチンコ球の動きを楽しませると共にパチンコゲームの興趣を高めるよう構成されている。
【０００３】
前記装飾部材には各種の装飾や着色が施されており、前記誘導路を遊技者が視認することは困難であり、パチンコ球が誘導路に入球したことが分り難かった。そこで、誘導路に、パチンコ球の重みによって動作する可動体を設け、遊技者にパチンコ球の誘導路への入球を認識させるようにした遊技機が提案されている(例えば、特許文献１参照)。
【特許文献１】特開２００３−２９０４７３号公報
【発明の開示】
【発明が解決しようとする課題】
【０００４】
特許文献１に開示の遊技機では、装飾部材に軸を介して枢支した可動体に、誘導路内に突出する突出部を設け、誘導路内を通過するパチンコ球が突出部に衝突することで、可動体が錘の重みにより軸を中心として振り子のように揺動するよう構成されている。このように可動体を軸を中心として揺動させる構成では、可動体を大きな範囲で動作させるのは困難であり、小さな動きしか与えられない難点がある。なお、揺動する場合であっても、可動体を長尺化することで動きを大きくすることは可能となるが、軽いパチンコ球の衝突力によって長尺な可動体を揺動させるのは難しく、実施し得ないのが現状である。また、軸を中心とする揺動では、錘を用いているために、その動作方向が左右あるいは前後に限られてしまう難点も指摘される。
【０００５】
すなわち本発明は、前述した従来の技術に内在している前記課題に鑑み、これを好適に解決するべく提案されたものであって、遊技球を利用して可動体をより大きく動作させることができ、また多様な方向に動作させることが可能な遊技機を提供することを目的とする。
【課題を解決するための手段】
【０００６】
前述した課題を解決し、所期の目的を達成するため、請求項１に係る遊技機は、
遊技盤(J)に画成した遊技領域(I)に配設された装飾部材(14)に、遊技領域(I)を流下する遊技球(S)を受入れる球入口(34)と、該球入口(34)に通入した遊技球(S)を誘導する誘導路(36)と、この誘導路(36)から装飾部材(14)内に遊技球(S)を通出する球出口(38)とを形成した遊技機において、
前記装飾部材(14)に対して移動可能に配設され、所要の意匠が施された可動体(50)と、
前記可動体(50)を、その移動可能方向の一方に向けて付勢可能な弾性体(44)と、
前記可動体(50)に配設されて前記誘導路(36)内に突出し、該誘導路(36)内を流下する遊技球(S)が衝突したときに可動体(50)を移動可能方向の他方に向けて移動させる突出部(46)とを備え、
前記遊技球(S)が突出部(46)から離間したときには、前記可動体(50)が前記弾性体(44)の付勢力によって移動可能方向の一方に向けて移動されるよう構成したことを特徴とする。
請求項１の発明によれば、装飾部材に移動可能に設けた可動体を、その移動可能方向の一方に向けて弾性体で付勢し得るよう構成したから、遊技球の衝突力によって移動した可動体を弾性体の付勢力で逆方向に移動させることができる。すなわち、可動体を大きく移動することができ、従来のように揺動させる構成に比して、可動体の動作範囲を大きくして目立たせることができる。また可動体は、弾性体の付勢力によって移動範囲が減衰するから、遊技者は可動体の動きを楽しむことができる。更に、可動体を弾性体で付勢する構成では、移動方向を任意に設定することができ、設計の自由度が増す。
【０００７】
請求項２に係る遊技機は、前記装飾部材(14)に、前記可動体(50)の移動可能方向に沿って支持軸(42)が設けられ、前記可動体(50)は、前記突出部(46)に設けた軸孔(46a)に支持軸(42)が挿通されるようにして配設されて、該可動体(50)が支持軸(42)に沿って移動するよう構成されると共に、前記弾性体(44)は、その中心部に形成した空孔(44a)に支持軸(42)が挿通されるようにして配設されている。
請求項２の発明によれば、可動体を支持軸に沿って移動するよう構成したから、可動体の動作が正確となる。
【０００８】
請求項３に係る遊技機は、前記支持軸(42)は上下方向に沿って配設されると共に、前記突出部(46)は前記支持軸(42)が挿通された前記弾性体(44)の上側に位置し、前記誘導路(36)は、前記球入口(34)から通入した遊技球(S)を前記突出部(46)に対して上方から衝突するよう形成され、
前記誘導路(36)内を流下する遊技球(S)が前記突出部(46)に上方から衝突することで、該突出部(46)および可動体(50)が遊技球(S)の重みにより下方向に移動することに伴って弾性体(44)が縮み、該弾性体(44)が伸びることによって突出部(46)および可動体(50)が上方向に移動するよう構成した。
請求項３の発明によれば、支持軸を上下方向に沿って配設したから、簡単な構成で可動体を上下方向に正確に移動させることができる。
【０００９】
請求項４に係る遊技機は、前記装飾部材(14)における誘導路(36)の前側に位置する前面板(48)に、前記可動体(50)の移動可能方向に沿って案内孔(48a)が所定長さで延在するよう形成され、前面板(48)の前側に配置した可動体(50)から後方に突出する前記突出部(46)を案内孔(48a)に挿通することで可動体(50)の回転規制を行なうよう構成した。
請求項４の発明によれば、前面板に形成した案内孔に突出部を挿通して可動体の回転規制を行なうよう構成したから、可動体が回転することで意匠面が遊技者から見難くなるのは防止される。
【００１０】
請求項５に係る遊技機は、前記可動体(50)の意匠は、遊技機のモチーフと関連している。
請求項５の発明によれば、遊技機のモチーフと関連する意匠を可動体に施すことで、可動体の動作と相俟って遊技の興趣を向上させ得る。
【発明の効果】
【００１１】
本発明に係る遊技機によれば、誘導路を流下する遊技球により、可動体を大きく動作させて、遊技の興趣を増大させ得る。また可動体の移動方向を任意に設定することができ、設計の自由度が増す。
【発明を実施するための最良の形態】
【００１２】
次に、本発明に係る遊技機につき、好適な実施例を挙げて、添付図面を参照しながら以下説明する。なお、本実施例では、遊技機としてパチンコ機を例に挙げて説明するが、遊技機としてはアレンジボール機等であってもよい。また、本実施例において、前・後、および左・右とは、図１に示すように遊技盤Ｊを正面側から見た状態で指称するものとする。
【実施例】
【００１３】
実施例に係るパチンコ機の機内に配設された遊技盤Ｊには、図１に示すように、その盤面に略円形状に湾曲形成したレール１０が配設されて、該レール１０の内部に遊技領域Ｉが画成されている。そして、パチンコ機に配設された操作ハンドル(図示せず)を操作することにより、図示しない上球皿内に貯留されているパチンコ球(遊技球)Ｓが、前記レール１０に沿って遊技領域Ｉに打ち出されて該領域Ｉを流下するよう構成される。
【００１４】
前記遊技領域Ｉ内の盤面には、縦央やや下部に、パチンコ球Ｓをスイッチで検出し得る始動入賞具１２が配設されると共に、この始動入賞具１２の直上方には遊技盤Ｊを装飾する大型の枠状に形成された装飾部材１４が配設され、更に始動入賞具１２の直下方には大型電動式の入賞装置Ｍが配設されている。また、前記装飾部材１４に開設した後述する開口部１４ａに、図柄表示装置Ｋが後方から臨み、前記始動入賞具１２へのパチンコ球Ｓの入賞に対応して図柄組合わせゲームが展開されて、図柄が所定の組合わせで停止すると、遊技者に有利な大当り状態となるようになっている。なお、前記遊技盤Ｊにおける遊技領域Ｉには、パチンコ球Ｓの流れに変化を与えて前記始動入賞具１２や入賞装置Ｍへ誘導する多数の釘１６が打設してある。また、図１中の符号１８はアウト口を示す。
【００１５】
前記入賞装置Ｍは、図柄組合わせゲームで成立した「大当り」に対して開成作動条件が付与される大型の入賞装置であって、特別入賞具２０に対設された扉状の開閉板２２が、後側の電磁ソレノイドに係る設定駆動条件に基づいて、通常の閉鎖状態から開放状態に変化され、パチンコ球Ｓの入賞に応じて多数の賞球が払い出されるようになっている。なお、特別入賞具２０の後側内部にセーフ球用のカウントスイッチや、開放作動継続用の特別スイッチが組込まれている(何れも図示せず)。
【００１６】
前記装飾部材１４は、図１に示す如く、前記遊技領域Ｉの略中央に配設されて、該領域の左右幅方向の大部分を占める横長の枠状本体２４に、各種の装飾部品を配設して構成されると共に、該枠状本体２４の略中央位置には、前記図柄表示装置Ｋが整合する開口部１４ａが開設されている。図２に示すように、前記枠状本体２４は、前記遊技盤Ｊの前面側に露出する装飾部２４ａと、該装飾部２４ａの後側に配設されて、ＬＥＤ等の発光体(図示せず)等が取り付けられる台部２４ｂとから構成され、該台部２４ｂを遊技盤Ｊに開設した装着孔(図示せず)に前側から挿入したもとで、該装飾部２４ａが前側から遊技盤Ｊにネジ止めされる。また、前記枠状本体２４(装飾部２４ａ)の下方位置において、前記始動入賞具１２の上方に臨む位置(枠状本体２４の略中央部)には、左右方向に並んで前側に開口する３つの球排出路２６ａ,２６ｂ,２６ｃが前後方向に画成されており、各球排出路２６ａ,２６ｂ,２６ｃから通出するパチンコ球Ｓが前記始動入賞具１２に向けて流下するようになっている。なお、中央の球排出路２６ｂから通出したパチンコ球Ｓについては、左右の球排出路２６ａ,２６ｃよりも高確率で前記始動入賞具１２に入賞するよう設置してある。
【００１７】
前記枠状本体２４の内側下部(内周下縁部)には、後述する誘導路３６に連通する球出口３８から通出したパチンコ球Ｓや、遊技領域Ｉに打ち出されて前記釘１６により変向されたパチンコ球Ｓが直接流通し得るステージ部２８が形成されている。このステージ部２８は、図１または図２に示すように、前記枠状本体２４の内周下縁部における前側に上下方向に起伏するよう形成され、前記球出口３８に左側で連接している。すなわち、ステージ部２８は、球出口３８との連接部位から右方向に向かうにつれて下方傾斜した後に、反転して上方傾斜して略中央位置に到達する緩やかに起伏した波状に形成され、その略中央位置を中心として左右対称に形成される。また、ステージ部２８における最下方位置(下方傾斜から上方傾斜に変位する変位点で始動入賞具１２の上方左右両側)には、前方に向けて傾斜する第１排出部２８ａ,２８ａが形成されて、該第１排出部２８ａ,２８ａからパチンコ球Ｓを遊技盤Ｊの前側(遊技領域Ｉ)に流出し得るようになっている。更に、ステージ部２８の最上方位置(左右方向の略中央位置)には、後述する流入口３０ａに向けて後方に傾斜する第２排出部２８ｂが形成されており、パチンコ球Ｓを流入口３０ａを介して後述する球周回振分部３２に通出案内するよう構成される。なお、ステージ部２８が盛り上がった略中央位置の下方に、前記球排出路２６ａ,２６ｂ,２６ｃの球排出口が夫々形成されている。
【００１８】
前記ステージ部２８の後方には、該ステージ部２８の上面から所定高さで立上がって前記開口部１４ａの下縁を画成する案内壁３０が設けられ、該案内壁３０における枠状本体２４の左右方向の略中央位置に前記流入口３０ａが形成されている。また、ステージ部２８と球排出路２６ａ,２６ｂ,２６ｃとの間には、前記流入口３０ａに連通する球周回振分部３２が設けられ、流入口３０ａから球周回振分部３２に流入したパチンコ球Ｓが円を描くように転動するよう構成される。この球周回振分部３２には、前記各球排出路２６ａ,２６ｂ,２６ｃと対応する３つの孔３２ａ(１つのみ図示)が形成され、各孔３２ａに通入したパチンコ球Ｓが対応する球排出路２６ａ,２６ｂ,２６ｃを介して球排出口から遊技領域Ｉに排出されるよう構成される。
【００１９】
図４または図５に示すように、前記装飾部材１４における枠状本体２４の左上部には、前記遊技領域Ｉを流下するパチンコ球Ｓを受入れる球入口３４が形成されている。また枠状本体２４の左側部には、球入口３４に連通する誘導路３６が設けられると共に、前記開口部１４ａの左側下部に球出口３８が形成されており、球入口３４に通入したパチンコ球Ｓは、誘導路３６により所定の経路を誘導された後に球出口３８を介して前記ステージ部２８上に到来するよう構成される。
【００２０】
図５に示すように、前記誘導路３６は、前記枠状本体２４の左斜め上方に向けて開口する前記球入口３４から右斜め下方に延在する第１通路３６ａと、該第１通路３６ａの右端に連通して後方に向けて斜め下方に延在する第２通路３６ｂと、該第２通路３６ｂの後端に連通して略真っ直ぐ下方に延在する第３通路３６ｃおよび該第３通路３６ｃの下端に連通して右斜め下方に延在して前記球出口３８に連通する第４通路３６ｄとから基本的に構成される。なお、前記第３通路３６ｃにおける左右の幅寸法は、パチンコ球Ｓの直径より大きく設定され、該第３通路３６ｃに突出する後述の突出部４６に衝突したパチンコ球Ｓが、第３通路３６ｃ内に詰まることなく第４通路３６ｄに円滑に通入し得るよう構成される。また第３通路３６ｃを画成する一側方(図示例では左側方)の壁面は、前記突出部４６が上下移動する領域から逃るように弧状に凹設されて(図４参照)、突出部４６から離間したパチンコ球Ｓのより円滑な第４通路３６ｄへの通入を図り得るようにしてある。
【００２１】
前記枠状本体２４の誘導路３６における第３通路３６ｃの前側には、図３または図６に示す如く、前側に開放する箱状の軸保持部材４０が配設され、該軸保持部材４０に、上下方向に沿って略鉛直に支持軸４２が配設されている。また軸保持部材４０の後面(誘導路３６を指向する面)には、第３通路３６ｃに対する第２通路３６ｂの連通部の略真下の位置において、該第３通路３６ｃに連通する第１案内孔４０ａが、支持軸４２と平行な上下方向に所定長さで延在するよう形成されている。前記支持軸４２には、弾性体としての圧縮コイルバネ４４が、その中心に設けられた空孔４４ａに支持軸４２が挿通されるようにして配設されて、その下端は軸保持部材４０の下端に当接している。また支持軸４２には、軸孔４６ａに支持軸４２が挿通された状態で突出部４６が上下動可能に配設され、該突出部４６は、常には圧縮コイルバネ４４の上端に乗った状態で保持されている。この突出部４６に設けた後突部４６ｂが、前記第１案内孔４０ａを介して第３通路３６ｃ内に突出しており、前記第２通路３６ｂから第３通路３６ｃに通入して落下するパチンコ球Ｓが、該後突部４６ｂに上方から衝突するよう構成される。なお、圧縮コイルバネ４４の上端に乗った状態で保持されている突出部４６の後突部４６ｂと、第３通路３６ｃに対する第２通路３６ｂの連通部とは所定高さ離間し、該連通部から第３通路３６ｃに通入して落下するパチンコ球Ｓが後突部４６ｂに衝突した際の衝撃(衝突力)およびパチンコ球Ｓの重さにより、突出部４６は圧縮コイルバネ４４を縮ませつつ下方に大きく移動するようにしてある(図７(ｂ)参照)。
【００２２】
前記突出部４６の前側に取付部４６ｃが設けられると共に、前記軸保持部材４０の前面開口を閉成するよう設けられた枠状本体２４の前面板４８に第２案内孔(案内孔)４８ａが上下方向に所定長さで延在するよう形成されており、該取付部４６ｃが第２案内孔４８ａを介して前方に延出している。そして、この取付部４６ｃに、可動体５０が取付けられて、該可動体５０は突出部４６と一体的に支持軸４２に沿って上下方向に直線的に移動し得るよう構成される。すなわち、実施例では支持軸４２が延在する上下方向が、可動体５０の移動可能方向となっている。また第１案内孔４０ａおよび第２案内孔４８ａに、突出部４６の対応する後突部４６ｂおよび取付部４６ｃが挿通されることで、突出部４６および可動体５０の回転規制がなされるようにしてある。
【００２３】
前記可動体５０は、図１または図４に示す如く、前記装飾部材１４における遊技者(前側)から視認可能な前面左側に設けられて、上下方向に移動し得るよう構成される。可動体５０は、前記突出部４６にパチンコ球Ｓが衝突していない通常状態では、突出部４６および可動体５０の重さによって前記圧縮コイルバネ４４が僅かに縮んだ上方位置に保持されている。そして、前記第２通路３６ｂから第３通路３６ｃに通入して落下するパチンコ球Ｓが突出部４６の後突部４６ｂに上方から衝突したときには、該パチンコ球Ｓの重さおよび衝突力によって突出部４６および可動体５０が、図７(ｂ)に示す如く、圧縮コイルバネ４４の付勢力に抗して該バネ４４を縮めながら下方向(移動可能方向の他方)に移動し、その後パチンコ球Ｓが後突部４６ｂから離間すると、圧縮コイルバネ４４が伸びることで、図７(ｃ)に示す如く、突出部４６および可動体５０が上方向(移動可能方向の一方)に向けて付勢されて上方向に移動するよう構成される。
【００２４】
実施例の可動体５０には、パチンコ機のモチーフ、例えば前記装飾部材１４や図柄表示装置Ｋに用いられているモチーフと関連した意匠(例えば、模様、形状、色彩、物語的関連等)が施され、より高い興趣をもたせることができるようにしてある。なお、図柄表示装置Ｋに用いられているモチーフとは、図柄組み合わせゲームの図柄などの図柄表示装置Ｋで表示される数字図柄、文字図柄及び絵(キャラクター)図柄などをいう。またパチンコ機のモチーフとしては、遊技盤Ｊの表面に配設されたセルシートに描かれている絵(キャラクター)等であってもよい。
【００２５】
〔実施例の作用〕
次に、前述した実施例に係るパチンコ機の作用につき説明する。
【００２６】
前記操作ハンドルの操作に基づき前記遊技領域Ｉの上部に打ち出されたパチンコ球Ｓは、遊技盤Ｊの盤面上を、前記釘１６により方向を変えられつつ流下し、図１中の始動入賞具１２や入賞装置Ｍの特別入賞具２０等に入るセーフ球と、アウト口１８に回収されるアウト球とに区分されるパチンコゲームが行なわれる。このとき、前記始動入賞具１２にパチンコ球Ｓが入賞した場合には、前記図柄表示装置Ｋにおいて所要の図柄組合わせゲームが展開され、遊技者に有利な「大当り」が成立する期待感を持って遊技がなされる。従って、前記始動入賞具１２に向けてパチンコ球Ｓを案内し得る前記ステージ部２８が設けられる装飾部材１４内へのパチンコ球Ｓの通入に対する遊技者の関心は高く、パチンコ球Ｓの装飾部材１４への通入部(球入口３４)を遊技者が注視して遊技を行なっている。
【００２７】
前記遊技領域Ｉを流下するパチンコ球Ｓが、前記装飾部材１４に設けた前記球入口３４から誘導路３６に通入すると、該パチンコ球Ｓは誘導路３６の第１通路３６ａおよび第２通路３６ｂに沿って移動し、該第２通路３６ｂから第３通路３６ｃに通入して通路内を落下する(図３参照)。このパチンコ球Ｓは、図７(ａ)に示す如く、前記突出部４６における後突部４６ｂに上方から衝突し、該パチンコ球Ｓの重さおよび衝突力により、突出部４６は、図７(ｂ)に示すように、前記圧縮コイルバネ４４を縮めつつ前記支持軸４２に沿って下方向に直線的に移動する。すなわち、装飾部材１４における遊技者から視認可能な前面左側に配設されている前記可動体５０も、突出部４６と一体的に下方向に直線的に移動する。
【００２８】
前記圧縮コイルバネ４４を縮めつつ下方向に移動した突出部４６の後突部４６ｂからパチンコ球Ｓが離間すると、圧縮コイルバネ４４が伸びることで、図７(ｃ)に示すように、突出部４６および可動体５０が支持軸４２に沿って上方向に直線的に移動する。圧縮コイルバネ４４の付勢力によって上方向に移動された突出部４６および可動体５０は、その重みおよび圧縮コイルバネ４４が伸長した後に元の状態に戻る復元力等によって、再び下方向に移動し、更に圧縮コイルバネ４４の付勢力により上方向に移動する動作を繰返す。すなわち、第２通路３６ｂから第３通路３６ｃにパチンコ球Ｓが通入して後突部４６ｂに衝突したときには、突出部４６および可動体５０は、上下方向の動作を反復して振動しているように動き、遊技者はパチンコ球Ｓが装飾部材１４の内部に通入したことを確実に認識することができる。なお、上下動する可動体５０は、その移動範囲が次第に減衰するから、遊技者は装飾部材１４の内部へのパチンコ球Ｓの通入を知るだけでなく、可動体５０の動きを楽しむことができる。しかも可動体５０には、装飾部材１４や図柄表示装置Ｋ等のモチーフに関連する意匠が施されているから、その動きによっても遊技の興趣を向上し得る。
【００２９】
実施例での可動体５０は、上下方向に移動可能に構成され、かつパチンコ球Ｓにより移動される方向とは逆の上方向に向けて圧縮コイルバネ４４で付勢し得るよう構成されているから、可動体５０を揺動させる場合に比して、可動体５０自体を長尺とすることなく可動体５０の移動範囲(動作範囲)を大きくすることができ、可動体５０の動きを目立たせて、遊技者に対して確実にパチンコ球Ｓの通入を知らせ得る。しかも、可動体５０は、特別な駆動装置を使用することなくパチンコ球Ｓの自重等により上下方向に移動するから、構成が複雑となって製造コストが嵩むこともない。更に、可動体５０は支持軸４２に沿って正確に上下動すると共に、第１案内孔４０ａおよび第２案内孔４８ａに突出部４６の対応する部分が挿通されて回転規制されているから、可動体５０が上下移動中に回転して遊技者から視認し難い位置へ移動することもない。なお、可動体５０を揺動させる場合は、その揺動方向は限定されるが、可動体５０を直線的に移動するよう構成する場合は、その移動方向は揺動の場合に比して多様な方向に設定することが可能となる。すなわち、装飾部材１４や図柄表示装置Ｋのモチーフに関連して可動体５０に施した意匠に応じて、該可動体５０を任意の方向に移動させるように設定することができ、設計の自由度が広くなり、遊技の興趣をより向上することが可能となる。
【００３０】
前記後突部４６ｂから離間したパチンコ球Ｓは、第４通路３６ｄに通入し、球出口３８から前記ステージ部２８の左側に通出される。前記第３通路３６ｃの左右幅寸法はパチンコ球Ｓの直径より大きく、かつ左側壁が弧状に形成されているから、後突部４６ｂに起因してパチンコ球Ｓが第３通路３６ｃ内で詰まることはなく、第４通路ｄに円滑に通入する。
【００３１】
前記ステージ部２８に通出されたパチンコ球Ｓは、該ステージ部２８に沿って左右に往復移動し、その勢いが減衰した位置に応じて、前記第１排出部２８ａ,２８ａから遊技領域Ｉに排出されたり、または第２排出部２８ｂから流入口３０ａを介して球周回振分部３２に流入する。球周回振分部３２に流入したパチンコ球Ｓは、円を描くように転動し、その勢いが弱まったときに、３つの孔３２ａの何れかから落下し、対応する球排出路２６ａ,２６ｂ,２６ｃを介して球排出口から遊技領域Ｉに排出される。そして、このパチンコ球Ｓは、遊技盤Ｊに打設した前記釘１６と接触して流下方向を変えつつ前記始動入賞具１２あるいはアウト口１８に向けて流下する。
【００３２】
〔変更例〕
本願は前述した実施例の構成に限定されるものでなく、その他の構成を適宜に採用することができる。
１．実施例では誘導路を装飾部材の左側部に設けるようにしたが、該装飾部材の右側部あるいは上部に設けることも可能である。
２．実施例では、弾性体として圧縮コイルバネを用いたが、引張コイルバネを介して可動体(突出部)を常には上方向に付勢するよう吊り下げた状態で保持するようにしてもよい。また弾性体は、バネに限らずゴム等、可動体(突出部)を移動可能方向の一方に向けて付勢し得るものであれば、その他のものであってもよい。
３．実施例では支持軸を上下方向に配設して可動体を上下方向に移動する場合で説明したが、可動体の移動可能方向はこれに限られるものでなく、支持軸の配設姿勢を変えることで、左右、前後あるいは左右斜め方向等、各種方向に移動させることが可能である。例えば、図８に示す如く、左右方向に延在するよう水平に配設した支持軸４２に突出部４６と圧縮コイルバネ４４を配設すると共に、該突出部４６を圧縮コイルバネ４４により常には左方向に付勢するよう設定し、更に突出部４６に設けた突部４６ｄを、左側から右側に向けて下方傾斜する誘導路３６の内部に突出させる。この構成によれば、誘導路３６内を左側から右側に流下するパチンコ球Ｓが突部４６ｄに衝突することで、突出部４６および可動体５０は圧縮コイルバネ４４を縮めながら右方向に移動し、パチンコ球Ｓが突部４６ｄから離間したときには、圧縮コイルバネ４４の付勢力によって突出部４６および可動体５０は左方向に移動する。すなわち、支持軸の配設姿勢を変えると共に、誘導路を流下する遊技球が突出部に当たって移動する方向に対して可動体を反対方向に弾性体で付勢し得るよう構成すればよい。なお、図８のその他の符号は、実施例の対応する部材に対応させている。但し、図８の例では可動体５０は吊り下げられた状態で取付けられることとなるから、軸保持部材４０は下向きに開口して、この下面開口を覆う板材(実施例での前面板)４８に案内孔４８ａが形成されている。
４．実施例では可動体、軸保持部材および誘導路(第３通路)が前後の関係で重なる構成で説明したが、可動体が前側から視認し得る条件を満たせば、可動体、軸保持部材および誘導路の位置関係は、左右方向に重なる関係、図８に示す上下方向に重なる関係、あるいは軸保持部材に対して可動体と誘導路との重なる方向が異なるもの等、各種の関係で配置することができる。そして、軸保持部材に形成される第１案内孔は、誘導路を指向する面に設けられていればよく、また軸保持部材の可動体を指向する面(実施例では前面)に形成された開口を覆う板材(実施例では前面板)に突出部の挿通を許容する第２案内孔が形成されていればよい。
５．実施例では支持軸に沿って可動体を直線的に移動させる構成としたが、これに限られるものでなく、支持軸を湾曲させることで、可動体を弧状(曲線的)に移動させる等、支持軸を所定形状に形成して、その形状に沿って可動体を往復移動させる構成を採用し得る。
６．可動体を案内する手段は支持軸に限定されず、ガイドレールや索体その他の手段でもよく、可動体を案内し得るものであればよい。例えば、ガイドレールを採用する場合は、直線あるいは湾曲する溝や突部等の案内部をガイドレールに形成すると共に、前記突出部あるいは可動体に、案内部に対して移動可能に係合する突部や溝等の被案内部を形成すればよい。また索体としては、金属あるいは合成樹脂製のワイヤを採用し得る。なお、前記２．で例示した引張コイルバネで可動体(突出部)を吊り下げる構成では、該可動体を案内する手段(支持軸)を省略することが可能である。
７．可動体は、単に意匠が施される場合に限らず、その動作に伴って動く別の可動部を設けたものであってもよい。
８．実施例では可動体と突出部を別体で構成した場合で説明したが、両者は一体物であってもよい。
【図面の簡単な説明】
【００３３】
【図１】本発明の好適な実施例に係るパチンコ機の遊技盤を示す正面図である。
【図２】実施例に係る装飾部材の概略斜視図である。
【図３】実施例に係る装飾部材における誘導路と突出部との関係を示す要部断面図である。
【図４】実施例に係る装飾部材の要部正面図である。
【図５】実施例に係る装飾部材を一部切欠いて示す要部概略斜視図である。
【図６】実施例に係る可動体、突出部およびこれらに関連する部材を分解して示す概略斜視図である。
【図７】実施例に係る可動体の動作を示す説明図である。
【図８】変更例に係る誘導路と突出部との関係を示す要部断面図である。
【符号の説明】
【００３４】
１４ 装飾部材，３４ 球入口，３６ 誘導路，３８ 球出口，４２ 支持軸
４４ 圧縮コイルバネ(弾性体)，４４ａ 空孔，４６ 突出部，４６ａ 軸孔
４８ 前面板，４８ａ 第２案内孔(案内孔)，５０ 可動体，Ｉ 遊技領域，Ｊ 遊技盤
Ｓ パチンコ球(遊技球)
【図１】
2006346215.tif 000003
【図２】
2006346215.tif 000004
【図３】
2006346215.tif 000005
【図４】
2006346215.tif 000006
【図５】
2006346215.tif 000007
【図６】
2006346215.tif 000008
【図７】
2006346215.tif 000009
【図８】
2006346215.tif 000010